(57)【要約】【課題】  周囲に突起部がある面に対しても無理なく取り付けることができる換気用ルーバを提供する。【解決手段】  ルーバ１ａが形成されたカバー体１と、このカバー体１をキャビネット開口部１８に固定するための固定部材２と、キャビネット１７内に配置されて固定部材２と共にキャビネット壁面１７ａを挟持して組み付けるベース体３と、ベース体３を所定の間隔を設けてキャビネット壁面１７ａと係合させるためのスペーサ部材４とを有し、ベース体３は周囲にネジ溝を備えた筒状雄ねじ部３ａと、その後端部にスペーサ部材４を取り付ける枠片３ｂとを備え、固定部材２はカバー体１に係合するリング片２ａと、雌ねじが形成された筒部２ｂとを備えた。スペーサ部材に囲まれた雄ねじ部３ａに、開口部１８を介して筒部２ｂを螺合してキャビネット壁面１７ａを挟持させ、カバー体１を固定部材２に取り付けて換気用ルーバをキャビネットへ取り付けた。【選択図】  図３
2010276328.tif 000002
【特許請求の範囲】
【請求項１】
複数のルーバを備えたカバー体と、キャビネット壁面に形成された換気用開口部に前記カバー体を固定するための固定部材と、キャビネット内部に配置して前記開口部を介して前記固定部材に連結するベース体とを有し、
前記ベース体は、周囲にネジ溝を備えた筒状の雄ねじ部と、該雄ねじ部の後端部に設けられ、前記開口部周縁部と係合可能な係合面とを備える一方、
前記固定部材は、前記カバー体を連結する連結部と、前記雄ねじ部に螺合する筒状の雌ねじ部とを備えて成り、
前記開口部を介した前記雄ねじ部と前記雌ねじ部の螺合により、前記固定部材と前記ベース体とが前記開口部に装着され、前記カバー体がキャビネットに取り付けられることを特徴とする換気用ルーバ。
【請求項２】
前記ベース体には、前記係合面を所定の間隔を設けてキャビネット壁面と係合させるためのスペーサ部材が装着され、
当該スペーサ部材は、前記ベース体に組み付けるための連結部と、前記所定の間隔を設けるための長さを有して前記雄ねじ部に螺着した前記雌ねじ部を覆う径を備えた筒部とを備え、
キャビネット内に配置した前記雄ねじ部とキャビネット外に配置した前記雌ねじ部とを螺合させることで、前記スペーサ部材端部と前記固定部材の係合枠とでキャビネット壁面を挟持することを特徴とする請求項１記載の換気用ルーバ。
【請求項３】
前記雄ねじ部の内部に、ルーバが形成されて成ることを特徴とする請求項１又は２記載の換気用ルーバ。
【発明の詳細な説明】
【技術分野】
【０００１】
本発明は、各種機器を収納するキャビネットに取り付けられる換気用ルーバに関する。
【背景技術】
【０００２】
電子機器等の発熱を伴う機器を収納するキャビネットには換気口が設けられ、換気口には雨水や塵等の侵入を防ぐためにルーバが取り付けられている。このような換気用ルーバは、通常フィルタを内蔵し、外部から塵や虫が侵入しないように構成されている。例えば特許文献１に記載された換気用ルーバは、キャビネットに筒状のルーバ本体（取付枠）を取り付け、カバーをこの取付枠に係合させて取り付ける構成となっている。
また、特許文献２では、取付リング（取付枠）の内側とカバーの周囲にネジ溝を設けて、螺合させてキャビネット壁面を挟み込んで取り付ける構成となっている。
【先行技術文献】
【特許文献】
【０００３】
【特許文献１】特開２００７−１７０７４６号公報
【特許文献２】特開２００８−１９６７１４号公報
【発明の概要】
【発明が解決しようとする課題】
【０００４】
しかしながら、上記従来の換気用ルーバは、取り付けるキャビネットの面が平坦で周囲に突起部のない部位への取り付けを前提としていた。そのため、平坦な面に対しては良好に取り付けることができたが、近傍に突起部があるような部位に対しては取り付けるのが難しく、他の専用のルーバを取り付けるか、取付部位を変更しなければならなかった。
そこで、本発明はこのような問題点に鑑み、平坦な面は勿論のこと、ルーバ取付部の近傍に突起部がある面に対しても取り付けることができる換気用ルーバを提供することを目的としている。
【課題を解決するための手段】
【０００５】
上記課題を解決する為に、請求項１の発明は、複数のルーバを備えたカバー体と、キャビネット壁面に形成された換気用開口部に前記カバー体を固定するための固定部材と、キャビネット内部に配置して前記開口部を介して前記固定部材に連結するベース体とを有し、前記ベース体は、周囲にネジ溝を備えた筒状の雄ねじ部と、該雄ねじ部の後端部に設けられ、前記開口部周縁部と係合可能な係合面とを備える一方、前記固定部材は、前記カバー体を連結する連結部と、前記雄ねじ部に螺合する筒状の雌ねじ部とを備えて成り、前記開口部を介した前記雄ねじ部と前記雌ねじ部の螺合により、前記固定部材と前記ベース体とが前記開口部に装着され、前記カバー体がキャビネットに取り付けられることを特徴とする。
この構成によれば、雄ねじ部と雌ねじ部とを螺合することでキャビネット壁面を挟持して換気用ルーバをキャビネットの開口部に取り付けることができる。そして、この螺合させる際、雌ねじ部後端部と係止面とで開口部周縁部を挟持させることで、開口部周囲に僅かに平坦なスペースがあればキャビネット壁面に隙間無く良好に取り付けることができる。そのため、開口部の近傍に突起部があるようなキャビネット壁面であっても、換気用ルーバを無理なく取り付けることができる。
【０００６】
請求項２の発明は、請求項１に記載の構成において、前記ベース体には、前記係合面を所定の間隔を設けてキャビネット壁面と係合させるためのスペーサ部材が装着され、当該スペーサ部材は、前記ベース体に組み付けるための連結部と、前記所定の間隔を設けるための長さを有して前記雄ねじ部に螺着した前記雌ねじ部を覆う径を備えた筒部とを備え、キャビネット内に配置した前記雄ねじ部とキャビネット外に配置した前記雌ねじ部とを螺合させることで、前記スペーサ部材端部と前記固定部材の係合枠とでキャビネット壁面を挟持することを特徴とする。
この構成によれば、キャビネットから雄ねじ部を突出させることなく雌ねじ部と螺着することが可能となり、平坦な面に対しては突出量を最小限に抑えて換気用ルーバを取り付けることができる。そのため、取り付けるキャビネット壁面前方に僅かな空間さえあれば設置できるし、美観上も好ましい。
【０００７】
請求項３の構成は、請求項１又は２記載の構成において、前記雄ねじ部の内部に、ルーバが形成されて成ることを特徴とする。
この構成によれば、ルーバーが二重に設けられるため、雨水の浸入を確実に防止できる。
【発明の効果】
【０００８】
本発明によれば、キャビネットの換気用開口部の周囲に、僅かに平坦なスペースがあればルーバを取り付けることができるので、開口部の近傍に突起部があるような部位でも無理なく取り付けることができる。そして、平坦な面に対しては、壁面からの突出量を最小限にして取り付けることができる。
【図面の簡単な説明】
【０００９】
【図１】本発明に係る換気用ルーバの実施形態の一例を示す分解斜視図である。
【図２】図１の換気用ルーバを組み立てた状態を示す斜視図である。
【図３】図１の換気用ルーバをキャビネットへ取り付ける様子を示す斜視図である。
【図４】図１の換気用ルーバをキャビネットへ取り付けた状態を示す斜視図である。
【図５】図１の換気用ルーバの他の使用例を示す分解斜視図である。
【図６】図５の換気用ルーバをキャビネットへ取り付ける様子を示す斜視図である。
【図７】図５の換気用ルーバを取り付けた状態を示す斜視図である。
【発明を実施するための形態】
【００１０】
以下、本発明を具体化した実施の形態を、図面に基づいて詳細に説明する。図１，図２は本発明に係る換気用ルーバの一例を示し、図１は分解斜視図、図２は組み立てた状態を示している。１はカバー体、２はフィルタ等を介してカバー体１を固定するための固定部材、３はキャビネット内に配置されるベース体、４は必要に応じて使用されるスペーサ部材、５は塵等の侵入を防止するフィルタ、６は防虫網、７，８はパッキンである。
【００１１】
カバー体１は、前面に複数のルーバ１ａ，１ａ，・・が形成され、換気を行うための隙間が形成されている。周囲にはスカート状の枠片１ｂが形成され、全体が円盤状に形成されている。また、背部にはフィルタ５を収納する空間が形成され、中央には固定部材２にネジ止めするためのネジ１０を挿通する挿通孔１ｃが形成されている。
【００１２】
固定部材２は、全体が略円筒状を成し、カバー体１の枠片１ｂに係合してカバー体１の背部を閉塞するリング片２ａを備え、後側には筒部２ｂが形成されている。リング片２ａで囲まれた内部にはフィルタ５を収容する空間が設けられ、その中央には固定部材２の中心軸に沿ってねじ孔１２ａが形成された連結片１２が設けられている。この連結片１２は、周囲から十字状に渡された梁片２ｃ，２ｃにより保持され、この梁片２ｃ及び連結片１２は収容したフィルタ５や防虫網６を保持する保持部材を兼ねている。
また、リング片２ａの周囲にはベース体３との螺合操作をし易くするための操作片２ｄが形成されている。
一方、筒部２ｂは、内側に雌ねじとして機能させるための雌ねじ片１１，１１，・・が断片的に突設されている。
【００１３】
ベース体３は、側面全体にネジ溝１３が形成された筒状の雄ねじ部３ａと、雄ねじ部３ａ後部に形成された四角形状の枠片３ｂとで構成されている。雄ねじ部３ａは、固定部材２の筒部２ｂと略同一の長さを有すると共に、筒部２ｂより僅かに小さい径で形成され、筒部２ｂと螺合可能となっている。そして、内部には複数のルーバ１４が形成されている。
一方、枠片３ｂは、スペーサ部材４を取り付けるための係止部１５が上辺及び下辺に夫々一対形成され、雄ねじ部３ａの周囲となる枠片３ｂの前面は、パッキン８を配置すると共にスペーサ部材４に係合する平坦な係合面３ｃが形成されている。
【００１４】
スペーサ部材４は、雄ねじ部３ａの長さと略等しい長さを有する筒体で、筒部２ｂを収容する径を有している。先端部外側の適宜部位には舌辺４ａ，４ａ，・・が形成され、キャビネット壁面との接触面を形成している。また、後部には枠片３ｂの係止部１５に対応する部位に、係止部１５に係止する爪片１６が設けられている。
【００１５】
このように構成された換気用ルーバは、次のようにキャビネットに取り付けられる。図３はキャビネット１７に取り付ける様子を示す斜視図であり、この図を基に説明する。先ず、ベース体３に図１に示すパッキン８が取り付けられ、スペーサ部材４がその上から組み付けられる。スペーサ部材４は、４箇所設けた爪片１６をベース体３に係止させることで組み付けでき、パッキン８の作用で両者の結合部の気密性が維持される。
【００１６】
一体化したベース体３とスペーサ部材４を、パッキン７を介してキャビネット１７の内側からキャビネット壁面１７ａに形成された開口部１８にあてがい、スペーサ部材４の端部及びその周辺の形成されている舌辺４ａをパッキン７を介して開口部１８の周縁部に当接させる。尚、開口部１８は、固定部材２の筒部２ｂを挿通させ、スペーサ部材４を挿通させない径で形成されている。
【００１７】
次に、開口部１８の表側に固定部材２を配置し、筒部２ｂを開口部１８を介して雄ねじ部３ａに係合させて螺入して行く。尚、このとき、ベース体３に形成されているルーバ１４の上下左右を確認して所定の横方向を向くように配置させる。
【００１８】
こうして、固定部材２をベース体３に螺合することで、スペーサ部材４と固定部材２のリング片２ａ背部とにより開口部１８周囲のキャビネット壁部１７ａが挟持され、固定部材２とスペーサ部材４を取り付けたベース体３とが開口部１８に取り付けられる。また、開口部１８周縁とスペーサ部材４の間に配置したパッキン７により、キャビネット壁面１７ａとスペーサ部材４の間に隙間が発生するのを防止でき、外部から侵入した雨水等がキャビネット１７内に染み出すのを防止できる。
【００１９】
固定部材２を開口部１８に取り付けたら、防虫網６、フィルタ５をリング片２ａ内に配置し、カバー体１を固定部材２に取り付ける。フィルタ５及び防虫網６は、中心部に連結片１２を挿通する孔５ａ，６ａが穿設され、挿通した連結片１２により保持される。カバー体１はルーバ１ａの上下左右を確認しネジ１０を螺入すれば、取り付けは完了する。図４は取り付けが完了した状態を示している。
【００２０】
このように、固定部材２の筒部２ｂとベース体３の雄ねじ部３ａとを螺合させることで、キャビネット壁面１７ａを挟持して換気用ルーバをキャビネット１７に取り付けることができる。そして、スペーサ部材４を使用することで、キャビネット内に固定部材２の筒部２ｂを挿入してベース体３と連結するので、キャビネット壁面１７ａからの固定部材の突出量を僅かにできる。よって、開口部１８近傍に突起が無く平坦な場合は、突出量を最小限に抑えて換気用ルーバを取り付けることができる。
また、ルーバがカバー体１のルーバ１ａとベース体３のルーバ１４と二重に設けられているため、雨水の浸入を確実に防止できる。
【００２１】
図５は本発明の換気用ルーバの他の取付例を示している。上記図１とはスペーサ部材４とパッキン７を持たない点が相違し、その他の構成要素は同一となっている。この場合、換気用ルーバは次のようにキャビネット１７に取り付けられる。図６は取り付ける様子を示し、この図を基に説明する。尚、開口部２０は、上記図１の開口部１８と大きさが異なり、ベース体３の雄ねじ部３ａを挿通させるが、固定部材２の筒部２ｂを挿通させない径で形成されている。
【００２２】
最初にパッキン８を取り付けたベース体３を開口部２０の背部（キャビネット内部）に配置し、雄ねじ部３ａを開口部２０に挿通して突出させる。この露出した雄ねじ部３ａに対して固定部材２の筒部２ｂを螺合させることで、キャビネット壁面１７ａが挟持されて、ベース体３と固定部材２が開口部２０に取り付けられる。このとき、ベース体３の枠片３ｂと固定部材２の筒部２ｂ端部とで開口部２０の周縁部が挟持される。
【００２３】
その後は上記実施形態と同様に、固定部材２に防虫網６、フィルタ５を係合させてカバー体１を被せ、ネジ止めして取り付けは完了し、図７に示すように換気用ルーバは取り付けられる。但し、図７では換気用ルーバを取り付けるキャビネット壁面１７ａの開口部近傍には、段部１７ｂが形成されている場合を示している。
【００２４】
このように、固定部材２の筒部２ｂとベース体３の雄ねじ部３ａとを螺合することで、キャビネット壁面１７ａを挟持して換気用ルーバをキャビネット１７に取り付けることができる。そして、この螺合させる際、固定部材２の筒部２ｂ端部と枠片３ｂとでキャビネット壁面１７ａを挟持するので、開口部２０の周囲にわずかに平坦なスペースがあれば取り付けることができ、開口部の近傍に突起部や段部があるような壁面でも換気用ルーバを無理なく取り付けることができる。
従って、スペーサ部材４の有無だけで、他の部材を変更することなく、平坦な面、近傍に突起部等のある面の双方に対して無理なく換気用ルーバを取り付けることができる。
【００２５】
尚、上記実施形態では、ベース体３にもルーバ１４を設けているが、このルーバ１４は無くても良い。また、ベース体３に強制排気のためのファンを取り付けても良い。
更に、固定部材２の筒部２ｂに雌ねじ片１１を断片的に形成しているが、筒部２ｂの内面にねじ溝を連続形成して完全な雌ねじ体としても良い。
【符号の説明】
【００２６】
１・・カバー体、１ａ・・ルーバ、２・・固定部材、２ｂ・・筒部（雌ねじ部）、３・・ベース体、３ａ・・雄ねじ部、３ｂ・・枠片、３ｃ・・係合面、４・・スペーサ部材、１０・・ねじ、１１・・雌ねじ片、１２・・連結片（連結部）、１４・・ルーバ、１６・・爪片（連結部）、１７・キャビネット、１７ａ・・壁面、１８，２０・・開口部。
【図１】
2010276328.tif 000003
【図２】
2010276328.tif 000004
【図３】
2010276328.tif 000005
【図４】
2010276328.tif 000006
【図５】
2010276328.tif 000007
【図６】
2010276328.tif 000008
【図７】
2010276328.tif 000009